(57)【特許請求の範囲】
【請求項１】
表面および裏面と、前記表面および裏面の間に設けられた少なくとも１つの情報記録層とを備える複数種類の光ディスクからデータを読み出すことのできる光ディスク装置であって、
前記複数種類の光ディスクから選択された光ディスクが装填され、前記光ディスクを回転させる駆動機構と、
前記駆動機構に装填された光ディスクに対して集束された光ビームを照射し、前記光ディスクから反射された光に基づいて電気信号を生成する光ピックアップと、
前記駆動機構および光ピックアップの動作を制御する制御部と、
を備え、
前記制御部は、前記光ピックアップが生成する前記電気信号に基づいて、前記駆動機構に装填された光ディスクの裏面が前記光ピックアップに対向しているか否かを判別する正逆装填判別部を備え、
前記制御部は、前記光ピックアップによって集束された光ビームの焦点が前記光ディスクにおける前記情報記録層上に位置するように前記光ピックアップのフォーカシング動作を制御し、
前記正逆装填判別部は、前記集束された光ビームの焦点が前記光ディスクにおける前記情報記録層上に位置するようにフォーカスサーボが実行された後、前記フォーカスサーボが実行された状態で前記光ピックアップの位置をディスク径方向に移動させ、フォーカス飛びまたはフォーカス外れが発生した場合に、光ディスクが逆装填されていると判定する、光ディスク装置。
【請求項２】
前記制御部は、前記光ディスクの最内周領域において、前記光ピックアップによって集束された光ビームの焦点位置を光ディスクの深さ方向に変化させる、請求項１に記載の光ディスク装置。
【請求項３】
前記光ディスクの最内周領域は、前記光ディスクのディスク中心から２１ｍｍの位置と前記ディスク中心から２６ｍｍの位置との間の領域である、請求項２に記載の光ディスク装置。
【請求項４】
前記正逆装填判別部は、ＢＤ用の光ビームを前記光ディスクに照射し、前記フォーカスサーボが実行された状態で前記光ピックアップの位置をディスク径方向に移動させ、フォーカス外れが生じるか否かに応じて、正しく装填されたＢＤと逆に装填されたＣＤとの間での判別を行う、請求項１に記載の光ディスク装置。
【請求項５】
表面および裏面と、前記表面および裏面の間に設けられた少なくとも１つの情報記録層とを備える複数種類の光ディスクからデータを読み出すことのできる光ディスク装置の駆動方法であって、
装填された光ディスクの情報記録層を検出するための動作を実行するステップ（Ａ）と、
光ビームの焦点を前記情報記録層上に位置するようにフォーカスサーボ制御を実行するステップ（Ｂ）と、
装填された光ディスクが逆装填状態にあるか否かを判定するステップ（Ｃ）と、
を包含し、
前記ステップ（Ｃ）は、前記フォーカスサーボが実行された状態で前記光ビーム焦点をディスク径方向に移動させ、フォーカス飛びまたはフォーカス外れが発生した場合に、光ディスクか逆装填されていると判定する、光ディスク装置の駆動方法。
【請求項６】
前記ステップ（Ａ）は、前記光ディスクのディスク中心から２１ｍｍの位置と前記ディスク中心から２６ｍｍの位置との間の領域に光ビームの焦点を配置した状態で実行する、請求項５に記載の光ディスク装置の駆動方法。
【請求項７】
前記ステップ（Ｂ）は、前記光ディスクのディスク中心から２１ｍｍの位置と前記ディスク中心から２６ｍｍの位置との間の領域に光ビームの焦点を配置した状態で実行する、請求項６に記載の光ディスク装置の駆動方法。
【請求項８】
前記ステップ（Ｃ）は、前記光ビームの焦点を前記領域内で移動させ、フォーカスサーボ制御に異常がないか否かを判断し、異常がない場合に前記光ビームの焦点を前記領域の外側に移動させる、請求項７に記載の光ディスク装置の駆動方法。
【発明の詳細な説明】
【技術分野】
【０００１】
本発明は、回転している円盤状の情報担体（以下、「光ディスク」と称する。）に対するデータの記録、および光ディスクに記録されたデータの再生の少なくとも一方を行う光ディスク装置に関する。特に本発明は、規格の異なる複数種類の光ディスクから選択された光ディスクの種別を的確に判別することのできる光ディスク装置に関している。
【背景技術】
【０００２】
光ディスクに記録されているデータは、比較的弱い一定の光量の光ビームを回転する光ディスクに照射し、光ディスクによって変調された反射光を検出することによって再生される。
【０００３】
再生専用の光ディスクには、光ディスクの製造段階でピットによる情報が予めスパイラル状に記録されている。これに対して、書き換え可能な光ディスクでは、スパイラル状のランドまたはグルーブを有するトラックが形成された基材表面に、光学的にデータの記録／再生が可能な記録材料膜が蒸着等の方法によって堆積されている。書き換え可能な光ディスクにデータを記録する場合は、記録すべきデータに応じて光量を変調した光ビームを光ディスクに照射し、それによって記録材料膜の特性を局所的に変化させることによってデータの書き込みを行う。
【０００４】
なお、ピットの深さ、トラックの深さ、および記録材料膜の厚さは、光ディスク基材の厚さに比べて小さい。このため、光ディスクにおいてデータが記録されている部分は、２次元的な面を構成しており、「情報記録面」と称される場合がある。本明細書では、このような情報記録面が深さ方向にも物理的な大きさを有していることを考慮し、「情報記録面」の語句を用いる代わりに、「情報記録層」の語句を用いることとする。光ディスクは、このような情報記録層を少なくとも１つ有している。なお、１つの情報記録層が、現実には、相変化材料層や反射層などの複数の層を含んでいてもよい。
【０００５】
記録可能な光ディスクにデータを記録するとき、または、このような光ディスクに記録されているデータを再生するとき、光ビームが情報記録層における目標トラック上で常に所定の集束状態となる必要がある。このためには、「フォーカス制御」および「トラッキング制御」が必要となる。「フォーカス制御」は、光ビームの焦点の位置が常に情報記録層上に位置するように対物レンズの位置を情報記録面の法線方向（以下、「基板の深さ方向」と称する。）に制御することである。一方、トラッキング制御とは、光ビームのスポットが所定のトラック上に位置するように対物レンズの位置を光ディスクの半径方向（以下、「ディスク径方向」と称する。）に制御することである。
【０００６】
従来、高密度・大容量の光ディスクとして、ＤＶＤ（Digital Versatile Disc）−ＲＯＭ，ＤＶＤ−ＲＡＭ，ＤＶＤ−ＲＷ，ＤＶＤ−Ｒ，ＤＶＤ＋ＲＷ，ＤＶＤ＋Ｒ等の光ディスクが実用化されてきた。また、ＣＤ（Compact Disc）は今も普及している。現在は、これらの光ディスクよりもさらに高密度化・大容量化されたブルーレイディスク（Blu-ray Disc；ＢＤ）などの次世代光ディスクの開発・実用化が進められつつある。
【０００７】
これらの光ディスクは、その種類に応じて異なる多様な断面構造を有している。例えば、トラックの物理的構造、トラックピッチ、情報記録層の深さ（光ディスクの光入射側表面から情報記録層までの距離）などが異なるものがある。このように物理的な構造の異なる複数種類の光ディスクから適切にデータを読み出し、あるいは、データを書き込むためには、光ディスクの種別に応じた開口度（ＮＡ）を有する光学系を用いて適切な波長の光ビームを光ディスクの情報記録層に照射する必要がある。
【０００８】
図１は、光ディスク２００を模式的に示す斜視図である。参考のため、図１には、対物レンズ（集束レンズ）２０と、この対物レンズ２０によって集束された光ビーム２２が示されている。光ビーム２２は、光ディスク２００の光入射面から情報記録層を照射し、情報記録層上に光ビームスポットを形成する。
【０００９】
図２（ａ）、（ｂ）、および（ｃ）は、それぞれ、ＣＤ、ＤＶＤ、およびＢＤの断面の概略を模式的に示している。図２に示される各光ディスクは、表面（光入射側表面）２００ａおよび裏面（レーベル面）２００ｂを有し、それらの間に少なくとも１つの情報記録層１４を有している。光ディスクの裏面２００ｂには、タイトルやグラフィックスのプリントを含むレーベル層１８が設けられている。いずれの光ディスクも全体の厚さは１．２ｍｍであり、直径は１２ｃｍである。簡単のため、図面中にはピットやグルーブなどの凹凸構造は記載していないし、反射層などの記載も省略している。
【００１０】
図２（ａ）に示されるように、ＣＤの情報記録層１４は、表面２００ａから約１．１ｍｍの深さに位置している。ＣＤの情報記録層１４からデータを読み出すには、近赤外レーザ（波長：７８５ｎｍ）を集束し、その焦点が情報記録層１４上に位置するように制御する必要がある。光ビームの集束に用いる対物レンズの開口度（ＮＡ）は、約０．５である。
【００１１】
図２（ｂ）に示されるように、ＤＶＤの情報記録層１４は、表面２００ａから約０．６ｍｍの深さに位置している。現実のＤＶＤでは、約０．６ｍｍの厚さを有する２枚の基板が接着層を介して張り合わせられている。２層の情報記録層１４を有する光ディスクの場合、表面２００ａから情報記録層１４までの距離は、それぞれ、約０．５７ｍｍおよび約０．６３ｍｍ程度であり、近接している。このため、情報記録層１４の数によらず、図面では１層の情報記録層１４のみを記載している。ＤＶＤの情報記録層１４からデータを読み出し、データを書き込むには、赤色レーザ（波長：６６０ｎｍ）を集束し、その焦点が情報記録層１４上に位置するように制御する必要がある。光ビームの集束に用いる対物レンズの開口度（ＮＡ）は、約０．６である。
【００１２】
図２（ｃ）に示されるように、ＢＤは、表面２００ａの側に厚さ１００μｍの薄いカバー層（透明層）が設けられており、情報記録層１４は表面２００ａから約０．１ｍｍの深さに位置している。ＢＤの情報記録層１４からデータを読み出すには、青紫レーザ（波長：４０５ｎｍ）を集束し、その焦点が情報記録層１４上に位置するように制御する必要がある。光ビームの集束に用いる対物レンズの開口度（ＮＡ）は、０．８５である。
【００１３】
このように多様な光ディスクが流通している状況においては、１つの光ディスク装置によって多くの種類の光ディスクの記録／再生が可能なことが求められている。これを実現するには、光ディスク装置が複数種類の光ディスクに対応可能な光源および光学系を備えるとともに、光ディスク装置に装填された光ディスクの種別を適切に判別することが必要になる。
【００１４】
特許文献１に記載の光ディスク装置は、光ディスク装置に装填された光ディスクの情報記録層の深さを光学的に検出することにより、光ディスクの種類を判別する。図３（ａ）は、光ディスク２００の表面２００ａと対物レンズ２０との間隔が徐々に小さくなる様子を模式的に示している。この光ディスク２００は、光ビームに対して透明な基板本体１２と、基板本体１２上に形成された情報記録層１４と、情報記録層１４を覆う保護層（カバー層）１６とを備えている。図示されている光ディスク２００はＢＤに相当し、カバー層１６の厚さは約０．１ｍｍである。光ディスクの裏面２００ｂには、画像や文字がプリントされたレーベル層１８が存在する。なお、レーベル層１８の厚さは誇張して大きく描かれている。
【００１５】
図３（ａ）では、光ビーム２２の焦点位置が光ディスクの表面２００ａ上に位置する場合と、情報記録層１４上に位置する場合と、基板本体１２の内部に位置する場合とが同時に示されている。図３（ｂ）は、光ビーム２２の焦点位置が時間的に変化するときに得られるフォーカスエラー（ＦＥ）信号を模式的に示している。ＦＥ信号は、光ビーム２２の焦点が光ディスク２００の表面２００ａを通過するときに小さなＳ字状カーブを示すように変化する。これに対して、光ビーム２２の焦点が光ディスク２００の情報記録層１４を通過するときは、ＦＥ信号が大きなＳ字状カーブを示すように変化する。図３（ｃ）は、光ビーム２２の焦点位置が時間的に変化するときに得られる再生（ＲＦ）信号の振幅を模式的に示している。ＲＦ信号の振幅がゼロではない有意の値を示し、かつ、ＦＥ信号がゼロとなるとき、光ビーム２２の焦点が情報記録層１４上に位置していると判断することができる。このような時にフォーカスサーボがオン状態にはいると、常にＦＥ信号がゼロとなるように対物レンズの位置が制御される。このように、情報記録面を求めてフォーカスサーチを行い、ＦＥ信号のＳ字カーブを検出したとき、その中央付近（ＦＥ信号のゼロクロスポイント付近）でフォーカスサーボをＯＮ状態にセットする動作を「フォーカス引き込み」と称することとする。
【００１６】
ＦＥ信号におけるＳ字状カーブが検出された時点における対物レンズの位置は、対物レンズの位置を制御するアクチュエータに供給する電気信号から求めることができる。これにより、情報記録層１４の深さを検出できるため、情報記録層１４の深さから光ディスクの種類を判別することが可能になる。
【特許文献１】特開２００４−１１１０２８号公報
【発明の開示】
【発明が解決しようとする課題】
【００１７】
図４（ａ）および（ｂ）は、それぞれ、正しく装填されたＢＤおよびＣＤの情報記録層１４上に光ビームの焦点が位置する状態を示している。一方、図５（ａ）は、誤って上下が反転した状態で装填されたＢＤ（以下、「逆装填ＢＤ」と称する。）の情報記録層１４上に光ビームの焦点が位置する状態を示しており、図５（ｂ）は、正しく装填されたＣＤの情報記録層１４上に光ビームの焦点が位置する状態を示している。
【００１８】
これらの図からわかるように、逆装填ＢＤにおける情報記録層１４の深さは、ＣＤの情報記録層１４の深さに近い大きさを有している。レーベル層１８は、光ビーム２２を透過し得るため、逆装填ＢＤからＦＥ信号を検知することが可能な場合がある。そのため、ＦＥ信号に基づいて情報記録層１４の深さを検知する前述の方法によれば、逆装填ＢＤを誤ってＣＤであると判定する可能性がある。
【００１９】
光ディスク装置が、逆装填されているＢＤをＣＤであると誤って判定すると、この光ディスク装置は、ＣＤに対する再生動作を開始する。具体的には、ＣＤ用の対物レンズを用いて逆装填ＢＤの情報記録層１４に対するフォーカス引き込みを行った後、不図示のスピンドルモータが逆装填ＢＤの回転を開始し、対物レンズをディスク径方向に移動させようとする。
【００２０】
しかしながら、逆装填ＢＤの対物レンズ側（光ピックアップ側）にはレーベル層１８が存在している。レーベル層１８は、データの書き込み／読み出しのための光ビームが透過することを前提に設計されていないため、描かれる模様や文字により光透過率が位置に応じて大きく異なる可能性がある。また平坦性にも劣る。ＣＤの再生に用いられる赤外光ビームは、レーベル層１８の大部分を透過すると考えられるが、レーベル層１８の一部に赤外光ビームを透過しない材料で模様や文字が形成されている可能性がある。このようなレーベル層１８が光ピックアップに対向していると、逆装填ＢＤが回転しだしたとき、フォーカス制御が正常に動作せず、対物レンズが回転する逆装填ＢＤに衝突する場合がある。特に、ＣＤ用の対物レンズに隣接してＢＤ用の対物レンズが配置されている場合は、ＢＤ用の対物レンズがＣＤ用対物レンズよりも光ディスクに近い位置に突出しているため、ＢＤ用の対物レンズが逆装填ＢＤのレーベル層１８に衝突しやすいという問題がある。
【００２１】
同様の問題は、正しく装填されたＢＤと逆装填ＣＤとの間や、正しく装填されたＤＶＤと逆装填されたＤＶＤとの間でも発生し得る。
【００２２】
本発明の目的は、光ディスクの装填状態の正逆を判別し、光ディスクとレンズとの衝突を適切に回避できる光ディスク装置を提供することにある。
【課題を解決するための手段】
【００２３】
本発明の光ディスク装置は、表面および裏面と、前記表面および裏面の間に設けられた少なくとも１つの情報記録層とを備える複数種類の光ディスクからデータを読み出すことのできる光ディスク装置であって、前記複数種類の光ディスクから選択された光ディスクが装填され、前記光ディスクを回転させる駆動機構と、前記駆動機構に装填された光ディスクに対して集束された光ビームを照射し、前記光ディスクから反射された光に基づいて電気信号を生成する光ピックアップと、前記駆動機構および光ピックアップの動作を制御する制御部とを備え、前記制御部は、前記光ピックアップが生成する前記電気信号に基づいて、前記駆動機構に装填された光ディスクの裏面が前記光ピックアップに対向しているか否かを判別する正逆装填判別部を備えている、光ディスク装置。
【００２４】
好ましい実施形態において、前記制御部は、前記光ディスクの最内周領域において、前記光ピックアップによって集束された光ビームの焦点位置を光ディスクの深さ方向に変化させる。
【００２５】
好ましい実施形態において、前記光ディスクの最内周領域は、前記光ディスクのディスク中心から２１ｍｍの位置と前記ディスク中心から２６ｍｍの位置との間の領域である。
【００２６】
好ましい実施形態において、前記制御部は、前記光ピックアップによって集束された光ビームの焦点が前記光ディスクにおける前記情報記録層上に位置するように前記光ピックアップのフォーカシング動作を制御し、前記正逆装填判別部は、前記集束された光ビームの焦点が前記光ディスクにおける前記情報記録層上に位置するようにフォーカスサーボが実行された後、判別を実行する。
【００２７】
好ましい実施形態において、前記正逆装填判別部は、ＢＤ用の光ビームを前記光ディスクに照射し、前記フォーカスサーボが実行された状態で前記光ピックアップの位置をディスク径方向に移動させ、フォーカス外れが生じるか否かに応じて、正しく装填されたＢＤと逆に装填されたＣＤとの間での判別を行う。
【００２８】
好ましい実施形態において、前記正逆装填判別部は、ＢＤ用の光ビームを前記光ディスクに照射し、バーストカッティングエリアを検知することにより、正しく装填されたＢＤと逆に装填されたＣＤとの間での判別を行う。
【００２９】
好ましい実施形態において、前記正逆装填判別部は、ＣＤ用の光ビームを前記光ディスクに照射することによって得られるトラッキングエラー信号またはフォーカスエラー信号に基づいて、正しく装填されたＣＤと逆に装填されたＢＤとの間での判別を行う。
【００３０】
好ましい実施形態において、前記正逆装填判別部は、ＣＤ用の光ビームを前記光ディスクに照射してバーストカッティングエリアを検知することにより、正しく装填されたＣＤと逆に装填されたＢＤとの間での判別を行う。
【００３１】
好ましい実施形態において、前記光ディスクが正しく装填されたＣＤであると判別された後、前記光ビームの焦点を前記光ディスクの奥に移動させることにより、デュアルタイプの光ディスクからデータを再生する。
【００３２】
好ましい実施形態において、前記正逆装填判別部は、ＤＶＤ用の光ビームを前記光ディスクに照射し、前記フォーカスサーボが実行された状態で前記光ピックアップの位置をディスク径方向に移動させ、フォーカスエラー信号またはトラッキングエラー信号に基づいて、正しく装填されたＤＶＤと逆に装填されたＤＶＤとの間での判別を行う。
【００３３】
好ましい実施形態において、前記正逆装填判別部は、ＤＶＤ用の光ビームを前記光ディスクに照射し、前記フォーカスサーボが実行された状態で前記光ピックアップの位置をディスク径方向に移動させ、前記光ディスクのユーザ領域からアドレスを読み出せるか否かに応じて、正しく装填されたＤＶＤと逆に装填されたＤＶＤとの間での判別を行う。
【００３４】
本発明の光ディスク装置の駆動方法は、表面および裏面と、前記表面および裏面の間に設けられた少なくとも１つの情報記録層とを備える複数種類の光ディスクからデータを読み出すことのできる光ディスク装置の駆動方法であって、装填された光ディスクの情報記録層を検出するための動作を実行するステップ（Ａ）と、光ビームの焦点を前記情報記録層上に位置するようにフォーカスサーボ制御を実行するステップ（Ｂ）と、装填された光ディスクが逆装填状態にあるか否かを判定するステップ（Ｃ）とを包含する。
【００３５】
好ましい実施形態において、前記ステップ（Ａ）は、前記光ディスクのディスク中心から２１ｍｍの位置と前記ディスク中心から２６ｍｍの位置との間の領域に光ビームの焦点を配置した状態で実行する。
【００３６】
好ましい実施形態において、前記ステップ（Ｂ）は、前記光ディスクのディスク中心から２１ｍｍの位置と前記ディスク中心から２６ｍｍの位置との間の領域に光ビームの焦点を配置した状態で実行する。
【００３７】
好ましい実施形態において、前記ステップ（Ｃ）は、前記光ビームの焦点をディスク径方向に移動させて実行する。
【００３８】
好ましい実施形態において、前記ステップ（Ｃ）は、前記光ビームの焦点を前記領域内で移動させ、フォーカスサーボ制御に異常がないか否かを判断し、異常がない場合に前記光ビームの焦点を前記領域の外側に移動させる。
【発明の効果】
【００３９】
本発明の光ディスク装置は、光ピックアップが生成する電気信号に基づいて、駆動機構に装填された光ディスクの裏面が光ピックアップに対向しているか否かを判別する正逆装填判別部を備えている。このため、誤って表裏を反対にした状態で装填された光ディスクに光ピックアップが衝突して光ディスクや光ピックアップに損傷を与えるという問題を回避することができる。
【００４０】
このような問題は、ＢＤおよびＣＤのように情報記録層の位置が深さ方向に略対称となる光ディスクが出現することによって顕著になるため、本発明は、ＢＤおよびＣＤを含む多様な光ディスクに対応可能な光ピックアップを備える光ディスク装置に適用して顕著な効果を発揮することになる。
【発明を実施するための最良の形態】
【００４１】
本発明の光ディスク装置は、構成の異なる複数種類の光ディスクからデータを読み出すことができる。これらの光ディスクは、いずれも、表面および裏面と、表面および裏面の間に設けられた少なくとも１つの情報記録層とを備えている。複数種類の光ディスクは、典型的には、ＣＤ、ＤＶＤ、ＢＤであるが、ＣＤ／ＢＤハイブリッド型ディスクやＢＤ／ＤＶＤハイブリッド型ディスクや他のタイプの光ディスクを含んでいても良い。
【００４２】
これらの光ディスクは、光ディスクの表面側から光ビームの照射を受け、データの記録および／または再生が可能となる構造を有している。このため、光ディスクの裏面は、レーベル面として機能し、通常、視覚によって直接認識される文字や画像がプリントされている。本願明細書では、光ディスクの裏面側において文字や画像がプリントされている部分をその厚さにかかわらず「レーベル層」と称することとする。
【００４３】
本発明の光ディスク装置は、公知のＤＶＤプレーヤなどの光ディスク装置と同様に、装填された光ディスクを回転させるスピンドルモータなどの駆動機構を備えている。上記した複数種類の光ディスクのうちからユーザが任意に選択した１つの光ディスクを駆動機構に装填すると、後述する動作が実行され、光ディスクの判別が行われる。
【００４４】
本発明の光ディスク装置は、ピックアップと、駆動機構および光ピックアップの動作を制御する制御部とを備えている。光ピックアップは、駆動機構に装填された光ディスクに対し、集束された光ビームを照射し、光ディスクから反射された光に基づいて電気信号を生成する。制御部は、駆動機構に装填された光ディスク（以下、「装填光ディスク」と称する場合がある。）の裏面が光ピックアップに対向しているか否かを判別する正逆装填判別部を備えている。なお、装填光ディスクの裏面が光ピックアップに対向している状態とは、いわゆる「逆装填状態」であり、正常な記録再生動作を実行することができない。
【００４５】
本発明に用いることのできる光ピックアップは、公知の構成を有するものでよい。より詳細には、光ビームを発する半導体レーザと、光ビームを集束させるレンズと、レンズの位置を制御するアクチュエータと、光ディスクから反射された光ビームを受け取り各種の電気信号を生成する受光素子とを備えている。光ピックアップで生成された電気信号に基づいて、フォーカスエラー（ＦＥ）信号、トラッキングエラー（ＴＥ）信号、再生（ＲＦ）信号が形成されることになる。
【００４６】
（実施形態）
図６Ａおよび図６Ｂを参照しながら、本実施形態の光ディスク装置が実行する初期基本動作の概略を説明する。図６Ａは、異なる３つの深さに位置する情報記録層を模式的に示している。図６Ｂは、初期基本動作の概略を示すフローチャートである。なお、図６Ａは１つの光ディスクの断面構成を示すものではなく、種類の異なる光ディスクにおける情報記録層の相対的な位置関係（各光ディスクにおける光入射面からの深さの関係）を１つにまとめて記載したものである。本実施形態の光ディスク装置は、ＣＤ、ＢＤ、およびＤＶＤのいずれについてもデータの再生が可能な構成を有している。
【００４７】
光ディスクを光ディスク装置にロードした後（起動後）、図６Ｂに示すように、まずはＢＤ用ビームを選択し、光ディスクの「最内周領域」に収束させる。「最内周領域」で判別動作を実行する理由については、後に詳しく説明する。
【００４８】
本実施形態では、図６ＢのステップＳ１で、装填されている光ディスクが「ＢＤ／逆装填ＣＤ」であるか否かを判定する。具体的には、図６Ａの左側に示すようにＢＤ用レンズ６２を用いて、波長４０５ｎｍ程度の青紫光ビーム６４を光ディスクに照射する。青紫光ビーム６４が光ディスクの光入射面から０．１ｍｍ程度の位置に焦点を結ぶときに、前述したフォーカス引き込みが実現すると、装填光ディスクが光入射面から浅い位置に情報記録層を有していることがわかる。このため、装填光ディスクは、正装填されたＢＤか逆装填されたＣＤのいずれかであることになる。この場合は、図６Ｂに示すようにステップＳ２に進み、装填光ディスクが、正装填されたＢＤおよび逆装填されたＣＤのいずれであるかを判定する動作（逆装填判別Ｉ）を実行する。この動作については、後述する。
【００４９】
次に、光ディスクの最内周領域および深さ（約０．１ｍｍ）でフォーカス引き込みが実現できなかった場合、すなわち図６ＢのステップＳ１で「ＮＯ」の結果が出た場合を考える。この場合、装填光ディスクは、正装填されたＢＤでもないし、逆装填されたＣＤでもない。すなわち、装填光ディスクは、正装填されたＤＶＤ、逆装填されたＤＶＤ、正装填されたＣＤ、および逆装填されたＢＤのいずれかである。
【００５０】
装填光ディスクが正装填されたＣＤまたは逆装填されたＢＤであれば、光入射面から相対的に深い（深さ１．１ｍｍ程度）位置に情報記録層が存在する。一方、装填光ディスクがＤＶＤであれば、その装填の正逆によらず、光入射面からの深さが０．６ｍｍ程度の位置に情報記録層が存在する。
【００５１】
そこで、本実施形態では、図６Ｂに示すように、ステップＳ３においてＢＤ用ビームからＣＤ用ビームに変更し、光入射面から深い位置に情報記録層が存在するか否かを探索する。すなわち、図６Ａに示すＢＤ用レンズ６２から焦点の長いＣＤ用レンズ６６に切り替え、近赤外レーザ６８の収束点を装填光ディスクの光入射面から相対的に深い位置に形成する。
【００５２】
次に、図６ＢのステップＳ４に進み、光入射面から１．１ｍｍ程度の位置でフォーカス引き込みにトライする。ここで、フォーカス引き込みが達成された場合（ＹＥＳの場合）は、装填光ディスクが正装填されたＣＤまたは逆装填されたＢＤであると判定できる。ただし、装填光ディスクが正装填されたＣＤであるか、あるいは逆装填されたＢＤであるかを判定するには、ステップＳ５に進み、後に詳述する動作（逆装填判別ＩＩ）を実行することになる。
【００５３】
フォーカス引き込みが光入射面から１．１ｍｍ程度の深さ位置では達成されず、０．６ｍｍ程度の深さ位置で達成されたならば、装填光ディスクがＤＶＤであると判定できる。その場合、ステップＳ６に進み、ＣＤ用ビームからＤＶＤ用ビームに変更した後、ステップＳ７において、装填の正逆の判定を後に詳述する動作（逆装填判別ＩＩＩ）を行うことになる。
【００５４】
上記の一連の動作は、情報記録層の深さを検知することにより装填光ディスクを大まかに判別するために行われる。本実施形態では、光ディスクが逆装填されている可能性を考慮し、レーベル層の存在が問題にならない領域（光ディスクの最内周領域）で上記一連の判別動作を実行している。以下、光ディスクの「最内周領域」で、フォーカス引き込み動作を実行する理由を説明する。
【００５５】
一般の光ディスクは、中心部にホール（半径：約１８ｍｍ）が設けられており、ホールの外縁に近い位置から、リードインエリア、データゾーン、リードアウトエリアに同心円を境界としてリング状に分かれている。ＢＤの場合は、リードインエリアよりも内周側にＢＣＡ（バーストカッティングエリア）が設けられている、ＢＣＡは、著作権保護に必要な暗号キーなどの情報を光ディスクに記録するために設けられるバーコード状の構造物であり、ＣＤには設けられていない。
【００５６】
図７は、ＢＤにおけるディスク中心からの距離と記録領域との関係を模式的に示している。図７からわかるように、ディスク中心から２１ｍｍの位置とディスク中心からｄｚｉ／２の位置との間の領域にＢＣＡおよびリードインエリアが配置される。ｄｚｉは、４７．８ｍｍよりも大きく４８．０ｍｍよりも小さい。ｄｚｉ＝４８ｍｍのとき、リードインエリアとデータゾーンとの境界は、ディスク中心から２４ｍｍの位置にある。なお、ＣＤの場合、リードインエリアとデータゾーンとの境界は、ディスク中心から２５ｍｍの位置にある。
【００５７】
データゾーンは、ディスク中心からｄｚｉ／２の位置とディスク中心からｄｚ０／２の位置との間の領域である。ｄｚ０は、１１６．２以下である。リードアウトエリアは、ディスク中心からｄｚ０／２の位置とディスク中心から５８．５ｍｍの位置との間の領域である。
【００５８】
本発明の好ましい実施形態において、フォーカス引き込み動作を実行する領域は、ディスク中心から２１ｍｍの位置とディスク中心から２６ｍｍの位置との間のリング状領域である。この領域を本願明細書では「光ディスクの最内周領域」と称することにする。なお、「ディスク中心」とは、光ディスク装置内で回転している光ディスクの回転中心ではなく、停止した光ディスクの中心を意味する。光ディスク装置の駆動機構が光ディスクをクランプする際、通常、ディスク中心と回転軸とは厳密には一致せず、回転中心とディスク中心との間にズレが発生する。本発明では、上述のように光ディスクの「ディスク中心」からの距離によって最内周領域が規定されている。
【００５９】
このような光ディスクの最内周領域においてフォーカス引き込み動作を実行する理由は、光ディスクが逆装填された状態でも、光ディスクのレーベル層が光ビームの照射に悪い影響を与えないようにするためである。図７に示されるように、ＢＣＡやリードインエリアは光ディスクの「最内周領域」内に含まれる。従来、フォーカス引き込みは、データゾーン上で実行されてきた。なお、光の透過に影響を及ぼすレーベル層は、通常、データソーンに対応する領域に存在している。
【００６０】
光ディスクの最内周領域でフォーカス引き込み動作を実行するには、光ピックアップを最内周領域に移動させる必要がある。具体的には、光ピックアップをディスクモータの回転軸中心に近づけるためのトラバース動作を実行するとき、光ピックアップを可動限界まで移動させる。なお、光ディスク装置のディスクモータには、光ピックアップや移送台との衝突を防止するため、樹脂またはゴムなどによって成形された内周ストッパが設けられている場合がある。そのような場合には、光ピックアップなどの可動部分が内周ストッパに当接するまでトラバース動作を実行する。また、光ディスク装置には、光ピックアップなどの可動部分がディスクモータの回転軸中心に最も近づいたときに、これらの可動部分と当接して機械的にＯＮ状態になる「内周スイッチ」が搭載されている場合もある。この場合は、内周スイッチがＯＮ状態になるまでトラバース動作を実行する。
【００６１】
本実施形態では、光ピックアップが内周ストッパまたは内周スイッチに当接するまでトラバース動作を継続することにより、レーベル層の影響が最も少ない領域（最内周領域）に光ビームを照射し、その位置でフォーカス引き込みを実行することが可能になる。
【００６２】
なお、光ピックアップが内周ストッパまたは内周スイッチに当接するまでトラバース動作を継続した後、光ピックアップの位置をディスク外周側に移動させても良い。ディスクモータに載せられた光ディスクの中心とディスクモータの回転中心とは厳密には一致しないため、光ピックアップが内周ストッパまたは内周スイッチに当接した位置では、光ビームが光ディスクの「最内周領域」からディスクホールに近い側に外れてしまう場合が生じ得る。このため、光ピックアップのディスク径方向位置を調整し、光ビームが確実に「最内周領域」内に位置するようにすることが好ましい。例えば、光ディスクの中心から２２．６ｍｍの位置を目標に光ビームを照射しようとしても、ディスクの偏心や光ピックアップのトラバースにおける送り誤差等により、光ビームは「最内周領域」よりもディスク中心側の領域を照射する場合がある。このため、本実施形態では、ディスク中心から２２〜２４ｍｍ内の所定位置を光ビーム照射の目標として光ピックアップの位置を制御している。本実施形態では、光ピックアップが内周スイッチに当接する状態で上記の判別動作を開始する。このとき、光ビームは光ディスクの回転中心から２２．６ｍｍの位置を目標として照射することになる。
【００６３】
次に逆装填判別Ｉ〜ＩＩＩの各動作を説明する前に、まず本実施形態の光ディスク装置の構成を説明することにする。
【００６４】
［光ディスク装置の構成］
以下、図８を参照しつつ、本発明による光ディスク装置の実施形態を詳細に説明する。図８は、本実施形態における光ディスク装置１００の基本的な構成の一例を示している。
【００６５】
図示されている光ディスク装置１００の基本的な構成は、光ピックアップ３０と、駆動部４０と、光ディスクコントローラ（ＯＤＣ）５０と、ディスクモータ１２０に大別される。本実施形態の光ディスク装置では、ＯＤＣ５０が、光ピックアップ３０から出力される電気信号に基づいて光ディスクの装填状態の正逆を判別する正逆装填判別部として機能する。
【００６６】
光ピックアップ３０は、装填された光ディスク１０２の情報記録層（図８において不図示）に光ビームを照射する光学系である。光ピックアップ３０は、駆動部４０からの駆動信号に基づいて光学系を調整し、光ディスク１０２で反射された光ビームを所定の受光領域において受光し、各受光領域の受光量に応じた信号を出力する。
【００６７】
ＯＤＣ５０は、光ディスク装置１００の主要な動作を制御する。ＯＤＣ５０は、光ピックアップ３０から出力された信号等に基づいて制御信号を生成し、光ディスク１０２の情報記録層に光ビームの焦点を移動させるとともに、フォーカス制御およびトラッキング制御等を行う。また、ＯＤＣ５０は、光ディスク１０２からデータを読み出してエラー訂正等の処理を行い、再生信号として出力する。
【００６８】
駆動部４０は、ＯＤＣ５０からの制御信号に基づいて駆動信号を生成し、光ピックアップ３０に供給する。ディスクモータ１２０は、光ディスク１０２を所定の回転数で回転させる。
【００６９】
以下、これらの構成要素をさらに具体的に説明する。
【００７０】
光ピックアップ３０は、光源１２２と、カップリングレンズ１２３と、フォーカスアクチュエータ１２４と、対物レンズ１２６と、トラッキングアクチュエータ１２８と、偏光ビームスプリッタ１３０と、集光レンズ１３２と、光検出器１３４と、加算器１３６、１３８、１４０、１４２、１８１とを有している。
【００７１】
光源１２２は、光ビームを放射する半導体レーザである。簡単のため、図８には単一の光源１２２が示されているが、実際の光源は、異なる波長の光ビームを放射する例えば３つの半導体レーザチップから構成される。具体的には、１つの光ピックアップがＣＤ、ＤＶＤ、およびＢＤ用に異なる波長の光ビームを放射する３つの半導体レーザを備えるが、図８では、簡単のため、１つの光源１２２として記載している。
【００７２】
図１２（ａ）は、発振波長の異なる３つのレーザチップ（不図示）を備え、３つの対物レンズ１５０−１〜１５０−３を切り換えて使用することのできる光ピックアップの一例を示している。図１２（ｂ）は、図１２（ａ）に示す光ピックアップの上面図である。
【００７３】
図１２に示される光ピックアップは、ホルダ２３４と、複数の対物レンズ１５０−１〜１５０−３と、軸２３１と、ヨーク２３２と、フォーカスコイル２３０と、トラッキングコイル２３６とを備えている。ホルダ２３４は、軸２３１を中心に回転自在に設けられている。対物レンズ１５０−１〜１５０−３は、ホルダ２３４にセットされており、ホルダ２３４が所定の角度だけ回転することにより、使用する対物レンズを切り換えることができる。対物レンズ１５０−１〜１５０−３の数は、特に限定されず、２つであってもよいし、３つ以上であってもよい。
【００７４】
ホルダ２３４の開口部内およびホルダ２３４の外側にはヨーク２３２が配置される。外側のヨーク２３２の内側には、同極が対抗するように磁石２３３が配置される。ホルダ２３４の下部には、フォーカスコイル２３０が巻装され、また、扁平形状のトラッキングコイル２３６が配置される。フォーカスコイル２３０、トラッキングコイル２３６、磁石２３３およびヨーク２３２によって構成される磁気回路によって、対物レンズ１５０−１〜１５０−３は、光ディスクに対して垂直方向および水平方向に移動する。この磁気回路により、ホルダ２３４を所定の角度だけ回転させることができる。
【００７５】
本実施形態で使用可能な光ピックアップは、図１２に示す構成を有するものに限定されず、他のタイプの構成を採用しても良い。
【００７６】
再び図８を参照する。
【００７７】
カップリングレンズ１２３は、光源１２２からの光ビームを平行光にする。偏光ビームスプリッタ１３０は、カップリングレンズ１２３からの平行光を反射する。半導体レーザチップの位置や放射される光ビームの波長が異なるため、その位置や波長に応じて最適な光学系の構成は異なる。このため、実際の光ピックアップ３０の構成は、図示されているものに比べて複雑である。このこと自体は公知であるため、ここでの詳細な説明は省略する。
【００７８】
フォーカスアクチュエータ１２４は、対物レンズ１２６の位置を光ディスク１０２の情報記録層に対して略垂直な方向に変化させ、トラッキングアクチュエータ１２８は、対物レンズ１２６の位置を光ディスク１０２の情報記録層と略平行な方向に変化させる。
【００７９】
対物レンズ１２６は、偏光ビームスプリッタ１３０で反射された光ビームを集束し、光ディスク１０２の情報記録層上に焦点を位置させる。このとき情報記録層上には光ビームスポットが形成される。光ディスク１０２で反射された光ビームは、対物レンズ１２６および偏光ビームスプリッタ１３０を通過する。
【００８０】
集光レンズ１３２は、対物レンズ１２６および偏光ビームスプリッタ１３０を通過してきた、光ディスク１０２からの反射光を光検出器１３４上に集束させる。光検出器１３４は、集光レンズ１３２を通過した光を受け、その光信号を電気信号（電流信号）に変換する。光検出器１３４は、例えば４分割の受光領域を有している。
【００８１】
ＯＤＣ５０は、差動増幅器１５８、１６０と、ディジタル・シグナル・プロセッサ（ＤＳＰ）１６２と、ゲイン切換回路１６４、１６６と、アナログ・ディジタル（ＡＤ）変換器１６８、１７０とを有する。
【００８２】
差動増幅器１５８は、加算器１３６、１３８からの出力を受け取り、ＦＥ信号を出力する。ＦＥ信号は、光ビームが光ディスク１０２の情報記録層上で所定の集束状態になるように制御するための信号である。ＦＥ信号の検出法は特に限定されず、非点収差法を用いたものでもよいし、ナイフエッジ法を用いたものであってもよいし、ＳＳＤ（スポット・サイズド・ディテクション）法を用いたものであってもよい。検出法に応じて回路構成を適宜変更してもよい。
【００８３】
差動増幅器１６０は、加算器１４０、１４２からの出力を受け取り、ＴＥ信号を出力する。ＴＥ信号は、光ビームが光ディスク１０２のトラック上を正しく走査するように制御するための信号である。ＴＥ信号の検出法は特に限定されず、位相差法を用いたものでもよいし、プッシュプル法を用いたものであってもよいし、３ビーム法を用いたものであってもよい。検出法に応じて回路構成を適宜変更してもよい。
【００８４】
ＤＳＰ１６２は、ＴＥ信号等に応じて駆動回路１５０にトラッキング制御用の制御信号を印加する。また、ＤＳＰ１６２は、ＦＥ信号等に応じて駆動回路１４８にフォーカス制御用の制御信号を印加する。本発明の主要な特徴に関連するＤＳＰ１６２の動作は後に詳述する。
【００８５】
ゲイン切換回路１６４は、ＦＥ信号を所定の振幅（ゲイン）に調整する。ＡＤ変換器１６８は、ゲイン切換回路１６４からの信号をディジタル信号に変換してＤＳＰ１６２に出力する。一方、ゲイン切換回路１６６は、ＴＥ信号を所定の振幅（ゲイン）に調整する。ＡＤ変換器１７０は、ゲイン切換回路１６６からの信号をディジタル信号に変換してＤＳＰ１６２に出力する。
【００８６】
駆動部４０は、駆動回路１４８、１５０を有している。駆動回路１４８は、ＤＳＰ１６２から制御信号を受け取り、制御信号に応じた駆動信号をフォーカスアクチュエータ１２４に印加して駆動する。駆動回路１５０は、ＤＳＰ１６２から制御信号を受け取り、制御信号に応じた駆動信号をトラッキングアクチュエータ１２８に印加して駆動する。
【００８７】
光検出器１３４の出力は、加算器１８１にも入力され、ハイパスフィルタ１８２、イコライザ（ＥＱ）１８３、二値化部１８４、ＥＣＣ／復調部１８５を経てＲＦ信号が生成される。ＲＦ信号は、光ディスク１０２の情報記録面の反射率の局所的変化に対応した信号であり、アドレス情報やユーザデータの再生に用いられる。
【００８８】
前述したように、本実施形態の光ディスク装置では、ＯＤＣ５０が正逆装填判別部として機能する。光ディスク装置内のメモリには、後述する一連の動作を光ディスク装置の各部に実行させるためのプログラムが格納されており、そのプログラムに従ってＯＤＣ５０が光ディスク装置の各部の動作を制御する。
【００８９】
［装填の正逆判別］
次に、本実施形態による装填ディスクの正逆判別のための一連の動作を説明する。
【００９０】
（逆装填ＣＤ／正装填ＢＤ）
図６Ａおよび図６Ｂを参照しながら説明した方法により、装填された光ディスクが、正装填されたＢＤであるか、逆装填されたＣＤであるかのいずれかであることがわかった場合を考える。この場合、以下に説明する動作が実行される。この動作は、図６Ｂに示すステップＳ２の逆装填判別Ｉの動作に相当する。
【００９１】
図９Ａを参照する。まず、ＢＤ用光源を用い、装填された光ディスクの最内周領域において、光ビームの焦点を光ディスクの表面から深さ約０．１ｍｍの位置に形成し、フォーカス引き込み動作を実行する（ステップＳ３１）。光ディスクの最内周側の領域には、通常、レーベル層が形成されていないため、光ディスクが逆装填された状態であっても、レーベル層に阻害されることなく、フォーカスサーボの制御状態を維持することができる。フォーカス引き込みが行われた場合、ステップＳ３２に進み、最内周領域内において、ビームスポットを光ディスクの径方向外側に移動させる。次に、ステップＳ３３で、フォーカス飛びまたはフォーカス外れが生じるか否かを判断する。フォーカス飛びやフォーカス外れが発生した場合（ＹＥＳ）、光ディスクは逆装填ＣＤであると判定される。ＢＤ用の光学系を用いて逆装填ＣＤに光ビームを照射する場合、収差が大きくなるため、ＣＤが逆装填されているときはフォーカス飛びやフォーカス外れが発生しやすく、逆装填ＣＤを容易に検知できる。
【００９２】
図９Ｂは、ＢＤ用の光ビームで正装填ＢＤと逆装填ＣＤの記録層を照射したときに得られるフォーカスエラー信号の波形を示すグラフである。図９Ｂからわかるように、正装填ＢＤでは、大きなＳ字カーブが観察されるが、逆装填ＣＤでは、Ｓ字カーブは観察されず、フォーカスエラー信号の波形は大きく歪んでいる。これは、ＢＤ用の光学系が正装填ＢＤの記録層（深さ１００μｍ程度；表面から記録層までの距離）に対して最も収差が小さくなるように設計されているため、逆装填ＣＤの記録層（深さ２０〜４０μｍ：ＣＤの裏面から記録層までの距離）に対しては収差が大きくなりすぎ、正常なフォーカスエラー信号が生成されなくなるからである。フォーカスエラー信号にＳ字カーブが観察されないと、フォーカスサーボを実行することはできず、フォーカス引き込みに失敗するか、仮に成功したとしてしても、フォーカス飛びやフォーカス外れが発生しやすくなる。
【００９３】
このように、正装填ＢＤと逆装填ＣＤとの間には、光ディスクの光入射面から記録層までの距離が比較的近い値を示すとは言え、ＢＤ用に最適化された光学系で逆装填ＣＤの記録層に光ビームを集束すると、大きな収差が発生してしまう。その結果、逆装填ＣＤでは、フォーカス飛びやフォーカス外れが発生しやすくなる。したがって、ＢＤ用光学系を用いれば、フォーカス飛びやフォーカス外れが発生した場合、図９ＡのステップＳ３３で「ＹＥＳ」の結果を得て、光ディスクが逆装填ＣＤであると判定することができる。
【００９４】
一方、ステップＳ３３において、フォーカス飛びやフォーカス外れが発生せず、フォーカスサーボに異常が生じなければ（ＮＯ）、ステップＳ３４に進む。ここで、光ディスクは正装填ＢＤであると決定してもよいが、本実施形態では、確認のため、ステップＳ３４に進み、ステップＳ３４において、ＲＦ信号からＢＣＡの有無を検知する。ＢＣＡが検出されれば、正装填ＢＤであると確定でき、ＢＣＡが検知されなければ、逆装填ＣＤであると判定できる。
【００９５】
次に、ステップＳ３１においてフォーカス引き込みが行われなかった場合を説明する。光ディスクの最内周領域でフォーカス引き込みに所定回数以上失敗したときは、光ビームスポットの位置を光ディスクの最内周領域内においてディスク径方向に移動させる（ステップＳ３５）。ここで、フォーカス引き込み動作を再度トライする（ステップＳ３６）。本実施形態では、ここで３回トライし、それでもフォーカス引き込みが実現できなかった場合は、ＣＤが逆装填された状態にあると判定する。一方、フォーカス引き込みが実現できた場合は、ステップＳ３４に進み、ＢＣＡの有無を検知することにより、正装填ＢＤか逆装填ＣＤかを判定することができる。
【００９６】
なお、ステップＳ３５における光ビームスポットの移動先は、最内周領域内である必要はなく、ユーザ領域に達していても良い。逆装填の場合、光ビームスポットをユーザ領域内まで移動させると、光ビームがレーベル層を横切ることになるため、フォーカス引き込みが阻害される。このため、ステップＳ３５における光ビームスポットの移動先をユーザ領域内に設定することにより、ＣＤの逆装填かＢＤの正装填かを確実に判別することが可能になる。
【００９７】
ただし、上述したように、ＢＤ用の光学系を用いて逆装填ＣＤに光ビームを照射する場合は収差が大きくなるため、ＣＤが逆装填されているときは、レーベル層が存在しない領域でもフォーカス引き込みに成功する可能性は極めて低い。したがって、最内周領域の異なる位置において、複数回（例えば３回）、フォーカス引き込みに失敗したときは、逆装填ＣＤであると判定することが可能であり、ステップＳ３５における光ビームスポットの移動先をユーザ領域内に設定する必要はない。
【００９８】
上述のように、図９Ａを参照して説明した例では、ステップＳ３４でＢＣＡの有無を検知しているが、このステップＳ３４は不可欠ではない。図９Ｃに示すように、ＢＣＡ検知のためのステップＳ３４を行う代わりに、前述したステップＳ３２、Ｓ３３に相当するステップＳ３７、Ｓ３８を行っても良い。この場合、ステップＳ３７において、再度、径方向に光ビームスポットを移動させた後、ステップＳ３８において、フォーカス飛びまたはフォーカス外れが発生するか否かを判断することになる。フォーカス飛びまたはフォーカス外れが発生すれば、ＣＤが逆装填された状態にあると判定でき、フォーカスに異常がなれば、正装填されたＢＤと判定できる。
【００９９】
このように逆装填ＣＤの場合は、フォーカス異常が極めて高い確率で発生する。この理由は、光ビームスポットを移動させるとき、光ビームスポットがトラック溝を横切る度にフォーカスエラー信号が大きく変動し、また、光ピックアップの加速・減速に起因して対物レンズに揺れが生じるため、フォーカス制御を正常に実行できなくなるからである。このため、逆装填ＣＤか否かを判別するために、あえてＢＣＡを検知するための動作を実行する必要性は低い。
【０１００】
（逆装填ＢＤ／正装填ＣＤ）
次に、図６Ａおよび図６Ｂを参照しながら説明した方法により、装填された光ディスクが、正装填されたＣＤであるか、逆装填されたＢＤであるかのいずれかであることがわかった場合を考える。この場合、以下に説明する動作が実行される。この動作は、図６Ｂに示すステップＳ５の逆装填判別ＩＩの動作に相当する。
【０１０１】
図１０Ａを参照する。まず、装填された光ディスクの最内周領域にＣＤ用の光ビームを収束させる。光ビームの焦点を光ディスクの表面から深さ約１．１ｍｍの位置に形成し、フォーカス引き込み動作を実行する（ステップＳ１１）。
【０１０２】
上述したように、光ディスクの最内周側の領域には、通常、レーベル層が形成されていないため、光ディスクが逆装填された状態であっても、レーベル層に阻害されることなく、フォーカスサーボの制御状態を維持することができる。フォーカス引き込みが行われた場合（ＹＥＳ）は、ステップＳ１２に進む。ステップＳ１２では、最内周領域以内において、ビームスポットを光ディスクの径方向外側に移動させる。光ディスクの最内周領域には、通常、トラックが存在しているが、光ディスクが偏心している場合、フォーカス引き込みを行った位置にトラックが存在していない可能性がある。このため、ステップＳ１２では、最内周領域内でビームスポットを移動させることにより、ＴＥ信号を得やすい状況を形成する。
【０１０３】
次に、光ディスクを回転させ、ＴＥ信号の再生を行う。ステップＳ１３で、フォーカス飛びまたはフォーカス外れが生じるか否かを判断する。フォーカス飛びやフォーカス外れが発生した場合（ＹＥＳ）、光ディスクは逆装填ＢＤであると判定される。
【０１０４】
前述したように、ＢＤ用の光ビームで逆装填ＣＤを照射する場合、フォーカスエラー信号のＳ字カーブの振幅が小さくなるため、フォーカス外れが生じやすく、それによって、逆装填ＣＤであることを検出することが容易である。同様のことが、本発明者の実験によると、ＣＤ用の光ビームで逆装填ＢＤを照射する場合にも生じることがわかった。すなわち、通常のＣＤでは、記録層の深さ（光入射側表面から距離）が約１．２ｍｍであるのに対して、逆装填ＢＤでは、記録層の深さ（光入射側表面からの距離）は役１．１ｍｍであり、差がある。このため、ＣＤ用の光ビームで逆装填ＢＤを照射すると、微小な収差が発生し、フォーカスエラー信号のＳ字カーブが歪む。また、記録層の反射率も波長依存性を有しているため、フォーカスエラー信号の振幅も小さくなる。これらの理由により、ＣＤ用の光ビームで逆装填ＢＤを照射する場合は、フォーカス外れが生じやすくなる。したがって、ＢＤが逆装填されている場合は、ステップＳ１３において高い確率でフォーカス飛びやフォーカス外れが発生するため、逆装填ＢＤであることを速やかに判定することができる。
【０１０５】
フォーカス飛びやフォーカス外れが発生せず、フォーカスサーボに異常が生じなければ（ＮＯ）、ステップＳ１６に進み、ビームスポットを光ディスクの最内周領域の外側にまで移動させる。そして、ステップＳ１７でＴＥ信号またはフォーカスサーボに異常がないかを判断する。
【０１０６】
装填されている光ディスクがＣＤであれば、ＴＥ信号が適切に生成される。ＣＤ用のビームを用いた場合に光ディスクの情報記録層に形成されるビームスポット径は相対的に大きく、１．６μｍのピッチで配列された個々のトラックから適切な信号を再生することができる大きさに設定されている。しかしながら、ＢＤのトラックピッチは０．３２μｍであり、ＣＤのトラックピッチ（１．６μｍ）よりも格段に小さい。このため、装填されている光ディスクが逆装填ＢＤであれば、情報記録層に形成される光ビームのスポットが大き過ぎるため、複数のトラックを跨いでしまい、適正なＴＥ信号は再生されない。
【０１０７】
したがって、ＴＥ信号などに異常がない場合（ＮＯ）には、ＣＤが正しく装填されている状態にあると判定できるし、逆にＴＥ信号が生成されないなどの異常があれば、ＢＤが逆装填されている状態にあると判定できる。光ディスクが逆装填状態にあると判定された場合は、光ディスクの回転を停止する。
【０１０８】
なお、ＴＥ信号に異常があるか否かの判断は、例えばＴＥ信号の振幅が予め設定された値よりも大きいか否か、あるいは、ＴＥ信号の対称性を評価することなどによって決定することができる。また、ビームスポットの位置をディスク径方向に移動させるときに、ＴＥ信号に少なくとも１つのトラックに相当する部分の欠落があれば、その原因がレーベル層に起因すると考えられるため、ＢＤが逆装填された状態にあると判定しても良い。
【０１０９】
正装填ＣＤか逆装填ＢＤかの判別は、ＴＥ信号に基づいて行う代わりに、ＲＦ信号からＢＣＡの有無を検知することによって行っても良い。ＢＣＡは、前述のように、ＣＤには設けられていないため、ＢＣＡを検知すれば、逆装填ＢＤであると判定できる。ＢＣＡは、例えば金属膜に複数のスリットを形成した構成を有しており、ＲＦ信号に大きな振幅の変調として現れるため、逆装填されている場合でも検出が容易である。また、ＢＣＡの検知は、ＣＤ用の光ビームのようにビームスポット径が大きくとも容易に行える。
【０１１０】
このように光ディスクの最内周領域でフォーカス引き込みが行われたときは、ＴＥ信号およびＲＦ信号の少なくとも一方に基づいて、正装填ＣＤか逆装填ＢＤかを適切に判別することができる。
【０１１１】
次に、ステップＳ１１でフォーカス引き込みが行われなかった場合を説明する。光ディスクの最内周領域でフォーカス引き込みに所定の回数以上失敗したときは、ステップＳ１４に進み、光ビームスポットの位置を光ディスクの最内周領域内でディスク径方向に移動させる。ここで、フォーカス引き込み動作を再度トライする（ステップＳ１５）。所定回数のトライを行ってもフォーカス引き込みを実現できなかった場合は、ＢＤが逆装填された状態にあると判定する。一方、フォーカス引き込みを実現できた場合は、ステップＳ１６に進み、ＴＥ信号またはＲＦ信号により、前述した方法で正装填ＣＤか逆装填ＢＤかを判定することができる。
【０１１２】
次に、一枚の光ディスク装置がＤＶＤ用記録層とＣＤ用記録層とを備えるデュアルタイプの光ディスクと、ＢＤとの間の判別を説明する。
【０１１３】
図１０Ｂの（ａ）は、デュアルタイプ光ディスクのＣＤ用記録層１４ｂからデータを読み出すとときの装填状態を示す断面図であり、（ｂ）は、デュアルタイプ光ディスクのＤＶＤ用記録層１４ａからデータを読み出すとときの装填状態を示す断面図である。デュアルタイプ光ディスクは、図１０Ｂに示されるように、レーベル層が形成されておらず、ＤＶＤ用記録層１４ａからデータを読み出すときと、ＣＤ用記録層１４ｂからデータを読み出すときで、光ディスクを反対に装填する必要がある。
【０１１４】
デュアルタイプの光ディスクでは、光ピックアップに対向する側の光ディスク表面からＣＤ用記録層１４ｂまでの距離は０．８５ｍｍ程度であり、通常のＣＤにおける光ディスク表面から記録層までの距離（１．２ｍｍ程度）よりも格段に短い。このように光ディスク表面からＣＤ用記録層１４ｂまでの距離が短いと、ＣＤ用記録層１４ｂからデータを再生するとき、通常のＣＤに比べてフォーカス飛びが発生しやすいという問題がある。
【０１１５】
従って、デュアルタイプ光ディスクを本実施形態の光ディスク装置に装填してＣＤ用記録層からデータを再生しようとすると、この光ディスクが正しく装填されていても、フォーカス飛びが生じてしまい、光ディスクは逆装填ＢＤであると誤判定する可能性がある。
【０１１６】
このような問題を解決するためには、本実施形態では、フォーカスサーボのゲインを高め、デュアルタイプ光ディスクのＣＤ用情報層１４ｂにフォーカスしているときにフォーカス外れが生じにくいようにしている。そのため、デュアルタイプ光ディスクのＣＤ用記録層１４ｂが光ピックアップに対向している場合において、その光ディスクを「逆装填ＢＤ」であると誤判定することを防止することができる。
【０１１７】
上述のように、本実施形態では、図１０Ｂの（ａ）に示すような状態でデュアルタイプ光ディスクが装填されているときでも、「正装填ＣＤ」と判定することになる。この場合、通常のＣＤかデュアルタイプ光ディスクかに応じて、フォーカス位置を変化させることが好ましい。その理由は、前述したように、デュアルタイプ光ディスクでは光ピックアップに対向する側の光ディスク表面からＣＤ用記録層１４ｂまでの距離が通常のＣＤに比べて短いため、ビーム集束点の位置をＣＤ用記録層１４ｂから少しだけシフトさせたときに最適な信号を得ることができるからである。本実施形態では、以下の動作を実行する。
【０１１８】
まず、正装填ＣＤと判定された光ディスクの情報記録層に対して、ＣＤ用光ビームを集束させる。ＴＥ出力が正常に得られ、かつ、トラッキング制御が開始されたならば、起動を完了する。ここで、ＴＥ出力が小さいとき、またはトラッキング制御を開始できないときは、ＣＤ用光ビームの集束点を光ディスクの奥に移動させるように対物レンズの位置を制御する。ビーム集束点の移動は、例えば０．０６２５μｍ刻みで繰り返し、その都度、ＴＥ出力が正常に得られ、かつ、トラッキング制御が開始されるか否かを判定する。そして、これからの条件を満足したとき、起動を完了する。
【０１１９】
上記の動作を実行することにより、装填された光ディスクが通常のＣＤでも、あるいはデュアルタイプの光ディスク（ＣＤ側）であっても、品質の良い信号を得ることができる。なお、上記の例では、ＴＥ出力に基づいてビーム集束点の位置を調整しているが、ＲＦ振幅に基づいても同様の調整が可能である。
【０１２０】
（逆装填ＤＶＤ／正装填ＤＶＤ）
次に、図６Ａおよび図６Ｂを参照しながら説明した方法により、装填された光ディスクが、正装填されたＤＶＤであるか、逆装填されたＤＶＤであるかのいずれかであることがわかった場合を考える。この場合、以下に説明する動作が実行される。この動作は、図６Ｂに示すステップＳ６の逆装填判別ＩＩＩの動作に相当する。
【０１２１】
図１１を参照する。まず、ＣＤ用光源からＤＶＤ用光源に切り替え、装填された光ディスクの最内周領域において、ＤＶＤ用光ビームの焦点を光ディスクの表面から深さ約０．６ｍｍの位置に形成し、フォーカス引き込み動作を実行する（ステップＳ２１）。
【０１２２】
この場合、装填されている光ディスクはＤＶＤであるため、装填の正逆によらず、ＴＥ信号は適切に生成される。ＴＥ信号の極性は、装填の正逆によって反転するが、このことに基づいて装填の正逆を判別することは難しい。
【０１２３】
そこで、本実施形態では、光ビームスポットの位置を光ディスクの最内周領域からユーザ領域に向けてディスク径方向に移動させる（ステップＳ２２）。光ディスクが逆装填されているとき、ユーザ領域では光ビームがレーベル層を横切ることになる。レーベル層の光透過率または反射率は、位置に応じて異なるため、ビームスポットの位置がディスク径方向に移動するに伴って、ＦＥ信号に異常が発生し、フォーカスサーボが外れてしまう。したがって、光ビームスポットを光ディスクの径方向に移動させながらフォーカスに異常が現れないかを判断する（ステップＳ２３）。このとき、フォーカスサーボの外れが検知された場合は、ＤＶＤが逆装填された状態にあると判定することができる。逆装填状態にあると判定した場合は、光ディスクの回転を停止する。
【０１２４】
ステップＳ２３において、フォーカスサーボが外れなかった場合、ステップＳ２４でアドレス読み取りを行う。ステップＳ２４において、ユーザ領域からアドレスを正常に読み取ることができたか否かを判定し、読み取れた場合は、ＤＶＤ正装填と判定することができる。一方、アドレスを読み取れなかった場合は、ＤＶＤの逆装填と判定する。アドレスではなく、データの読み出しを行えるか否かによって、装填の正逆を判別しても良い。
【０１２５】
なお、ＤＶＤが逆装填されているときは、ビームスポット位置をディスク径方向に沿って移動させるときにＦＥ信号のみならずＴＥ信号にも異常が生じる。このため、フォーカスサーボが外れない場合、ＴＥ信号の異常を検出することにより、逆装填状態にあることを検知することも可能である。
【０１２６】
次に、光ディスクの最内周領域でフォーカス引き込みが実行できなかった場合を考える。この場合、光ディスクの最内周領域でフォーカス引き込みに所定の回数以上失敗したときは、ステップＳ２６に進み、光ビームスポットの位置を光ディスクの最内周位置からユーザ領域に向けてディスク径方向に移動させる。光ディスクが逆装填されているとき、ユーザ領域では光ビームがレーベル層を横切ることになる。ここで、フォーカス引き込み動作を再度トライする（ステップＳ２７）。フォーカス引き込みが実現できなかった場合は、ＤＶＤが逆装填された状態にあると判定する。一方、フォーカス引き込みが実現できた場合は、ユーザ領域に移動する（ステップＳ２２）。そして、ＴＥ信号またはＲＦ信号により、前述した方法で正装填ＤＶＤか逆装填ＤＶＤかを判定することができる。
【０１２７】
以上説明してきたように、本発明の好ましい実施形態では、まず、レーベル層の悪影響を受けにくい光ディスクの最内周領域においてフォーカス引き込み動作を行い、その後、逆装填の有無を検知する動作を実行する。そのため、逆装填された光ディスクに光ピックアップが衝突して損傷を与えてしまう問題を回避できる。
【０１２８】
上記の実施形態では、「正逆装填判別部」をソフトウェア的に構成しているが、「正逆装填判別部」は、ハードウェアによって構成しても良いし、ソフトウェアおよびハードウェアの組み合わせによって構成しても良い。
【０１２９】
なお、上記の実施形態では、フォーカス引き込み動作を少なくとも１回行った後、ＦＥ信号、ＴＥ信号、および／またはＲＦ信号に基づいて光ディスクの逆装填状態を検知しているが、光ディスクの逆装填状態の検知は、他の方法によって行ってもよい。
【０１３０】
上記の実施形態では、ＣＤ、ＤＶＤ、およびＢＤに関する装填の正逆判別を行っているが、他の規格に基づいて作製された光ディスクの判別にも本発明は適用可能である。また、情報記録層の層数や深さも、上記実施形態について説明したものに限定されない。
【０１３１】
また、図８に示す光ディスク装置の構成は一例に過ぎず、本発明の光ディスク装置は、他の構成を採用しても実現できる。
【０１３２】
本明細書では、光ディスクの最内周領域をディスク中心から２１〜２６ｍｍの距離で規定される領域と定義し、その領域内でフォーカス引き込みを行っている。前述のように、ＢＤでは、リードインエリアとデータゾーンとの境界がディスク中心から２４ｍｍの位置に存在しているため、フォーカス引き込みは、ディスク中心から２１〜２４ｍｍの領域で行うことが好ましい場合がある。
【０１３３】
一方、デュアルタイプの光ディスクの場合は、光ディスクの両面から対応する情報記録層に対して光ビームを照射する必要があるため、ディスク中心から２１ｍｍ程度離れた位置から内周側の領域にレーベル層が設けられたり、その領域に光ディスクに記録されているコンテンツのタイトルやアーティスト名などが印刷されることもある。したがって、デュアルタイプの光ディスクに対応する光ディスク装置では、レーベル層に阻害されることなくフォーカス引き込みが行える位置は、ディスク中心から２２〜２６ｍｍの領域内にある。この場合、光ピックアップが内周スイッチに当接する状態から、例えば１．０ｍｍだけディスク外周側に光ピックアップを移動させた後で、上記の判別動作を開始することが好ましい。このとき、光ビームは光ディスクの回転中心から２３．６ｍｍの位置を目標として照射することになる。
【産業上の利用可能性】
【０１３４】
多様な規格に基づいて製造された各種光ディスクの記録／再生が可能な光ディスク装置およびその駆動方法が提供される。本発明の光ディスク装置は、特に、ＢＤのように浅い位置に情報記録層を有する光ディスクに対する記録／再生が可能な光ピックアップを備える場合に顕著な効果を発揮するため、次世代光ディスクの普及に大いに寄与する。
【図面の簡単な説明】
【０１３５】
【図１】光ディスク２００を模式的に示す斜視図である。
【図２】（ａ）、（ｂ）、および（ｃ）は、それぞれ、ＣＤ、ＤＶＤ、およびＢＤの断面の概略を模式的に示す断面図である。
【図３】（ａ）は、光ディスク２００の表面２００ａと対物レンズ２０との間隔が徐々に小さくなる様子を模式的に示す図であり、（ｂ）は、光ビーム２２の焦点位置が時間的に変化するときに得られるフォーカスエラー（ＦＥ）信号を模式的に示す図であり、（ｃ）は、そのときに得られる再生（ＲＦ）の振幅を模式的に示す図である。
【図４】（ａ）および（ｂ）は、それぞれ、正しく装填されたＢＤおよびＣＤの情報記録層１４上に光ビームの焦点が位置する状態を示す図である。
【図５】（ａ）は、誤って上下が反転した状態で装填されたＢＤの情報記録層１４上に光ビームの焦点が位置する状態を示し、（ｂ）は、正しく装填されたＣＤの情報記録層１４上に光ビームの焦点が位置する状態を示す図である。
【図６Ａ】異なる３つの深さに位置する情報記録層を模式的に示す図である。
【図６Ｂ】初期の判別動作を示すフローチャートである。
【図７】ＢＤのディスク中心からの距離と記録領域との関係を模式的に示す図である。
【図８】本発明の実施形態における光ディスク装置の構成例を示す図である。
【図９Ａ】逆装填ＣＤか正しい装填ＢＤかを判別するための動作を示すフローチャートである。
【図９Ｂ】ＢＤ用の光ビームで正装填ＢＤと逆装填ＣＤの記録層を照射したときに得られるフォーカスエラー信号の波形を示すグラフである。
【図９Ｃ】逆装填ＣＤか正しい装填ＢＤかを判別するための他の動作を示すフローチャートである。
【図１０Ａ】逆装填ＢＤか正しい装填ＣＤかを判別するための動作を示すフローチャートである。
【図１０Ｂ】（ａ）は、デュアルタイプ光ディスクのＣＤ用記録層からデータを読み出すときの装填状態を示す断面図であり、（ｂ）は、デュアルタイプ光ディスクのＤＶＤ用記録層からデータを読み出すとときの装填状態を示す断面図である。
【図１１】逆装填ＤＶＤか正しい装填ＤＶＤかを判別するための動作を示すフローチャートである。
【図１２】（ａ）は、光ピックアップの一例を示す斜視図であり、（ｂ）は、その上面図である。
【符号の説明】
【０１３６】
１２      基板
１４      情報記録面
１６      保護層（光透過層）
１８      レーベル層
３０      光ピックアップ
４０      駆動部
５０      ＯＤＣ
１００    光ディスク装置
１０２    光ディスク
１２０    ディスクモータ
１２２    光源
１２３    カップリングレンズ
１２４    フォーカスアクチュエータ
１２６    対物レンズ
１２８    トラッキングアクチュエータ
１３０    偏光ビームスプリッタ
１３２    集光レンズ
１３４    光検出器
１３６    加算器
１３８    加算器
１４０    加算器
１４２    加算器
１５８    差動増幅器
１６０    差動増幅器
１６２    ディジタル・シグナル・プロセッサ（ＤＳＰ）
１６４    ゲイン切換回路
１６６    ゲイン切換回路
１６８    アナログ・ディジタル（ＡＤ）変換器
１７０    アナログ・ディジタル（ＡＤ）変換器
１８１    加算器
１８４    情報記録層
２００    光ディスク
２００ａ  光ディスクの表面
２００ｂ  光ディスクの裏面（レーベル面）
【図１】
0005139680.tif 000002
【図２】
0005139680.tif 000003
【図３】
0005139680.tif 000004
【図４】
0005139680.tif 000005
【図５】
0005139680.tif 000006
【図６Ａ】
0005139680.tif 000007
【図６Ｂ】
0005139680.tif 000008
【図７】
0005139680.tif 000009
【図８】
0005139680.tif 000010
【図９Ａ】
0005139680.tif 000011
【図９Ｂ】
0005139680.tif 000012
【図９Ｃ】
0005139680.tif 000013
【図１０Ａ】
0005139680.tif 000014
【図１０Ｂ】
0005139680.tif 000015
【図１１】
0005139680.tif 000016
【図１２】
0005139680.tif 000017